(57)【特許請求の範囲】
【請求項１】
チェーンを巻き掛ける駆動スプロケット、従動スプロケットと、前記駆動スプロケットを回転駆動する駆動モータと、前記駆動スプロケットを制動するブレーキと、前記従動スプロケットに順に連結するフライホイル、電気制動機とを備えてなるオートバイ用チェーンの動力試験装置。
【請求項２】
前記駆動スプロケット、従動スプロケットの各軸には、それぞれトルクメータを装着することを特徴とする請求項１記載のオートバイ用チェーンの動力試験装置。
【請求項３】
前記駆動モータは、増速用のギヤボックスを介して前記駆動スプロケットを駆動し、前記従動スプロケットには、増速用のギヤボックスを介して前記フライホイル、電気制動機を連結することを特徴とする請求項１または請求項２記載のオートバイ用チェーンの動力試験装置。
【請求項４】
前記ブレーキ、フライホイルは、配設位置を互いに入れ替えることを特徴とする請求項１ないし請求項３のいずれか記載のオートバイ用チェーンの動力試験装置。
【請求項５】
前記フライホイルには、クラッチを付設することを特徴とする請求項１ないし請求項４のいずれか記載のオートバイ用チェーンの動力試験装置。
【請求項６】
請求項１ないし請求項５のいずれか記載の動力試験装置を使用してチェーンの模擬走行試験を行ない、時間に対するチェーンの走行速度、張力の変化データを記録することを特徴とするオートバイ用チェーンの試験方法。
【発明の詳細な説明】
【０００１】
【発明の属する技術分野】
この発明は、実走行に近い状態によりチェーンの模擬走行試験を実施することができるオートバイ用チェーンの動力試験装置と、それを使用するオートバイ用チェーンの試験方法に関する。
【０００２】
【従来の技術】
オートバイ用のチェーンは、実走行による他、耐久試験機を使用して耐久性能試験を実施することがある。
【０００３】
従来の耐久試験機は、駆動スプロケット、従動スプロケットに駆動モータ、電気制動機を組み合わせて構成されている。そこで、このものは、駆動スプロケット、従動スプロケットに試験用のチェーンを巻き掛け、駆動モータを介してチェーンを回転走行させるとともに、電気制動機を作動させてチェーンに任意の走行負荷をかけることができる。
【０００４】
【発明が解決しようとする課題】
かかる従来技術によるときは、電気制動機は、チェーンに対して連続的な定常負荷をかけることができるが、衝撃的に急変する走行負荷をかけることができないため、急ブレーキ時や急加減速時を含む実走行に近い状態の模擬走行試験ができないという問題があった。
【０００５】
そこで、この発明の目的は、かかる従来技術の問題に鑑み、駆動スプロケットを制動するブレーキと、従動スプロケットに連結するフライホイルとを設けることによって、実走行に近い状態によりチェーンの模擬走行試験をすることができるオートバイ用チェーンの動力試験装置と、それを使用するオートバイ用チェーンの試験方法を提供することにある。
【０００６】
【課題を解決するための手段】
かかる目的を達成するためのこの出願に係る第１発明の構成は、チェーンを巻き掛ける駆動スプロケット、従動スプロケットと、駆動スプロケットを回転駆動する駆動モータと、駆動スプロケットを制動するブレーキと、従動スプロケットに順に連結するフライホイル、電気制動機とを備えることをその要旨とする。
【０００７】
また、駆動スプロケット、従動スプロケットの各軸には、それぞれトルクメータを装着することができる。
【０００８】
さらに、駆動モータは、増速用のギヤボックスを介して駆動スプロケットを駆動し、従動スプロケットには、増速用のギヤボックスを介してフライホイル、電気制動機を連結してもよい。
【０００９】
なお、ブレーキ、フライホイルは、配設位置を互いに入れ替えてもよい。
【００１０】
また、フライホイルには、クラッチを付設することができる。
【００１１】
第２発明の構成は、第１発明に係る動力試験装置を使用してチェーンの模擬走行試験を行ない、時間に対するチェーンの走行速度、張力の変化データを記録することをその要旨とする。
【００１２】
【作用】
かかる第１発明の構成によるときは、駆動モータは、駆動スプロケットを介してチェーンを回転走行させ、電気制動機は、従動スプロケットを介してチェーンに任意の走行負荷をかけることができる。一方、フライホイルは、駆動モータを介し、加減速時の車重相当の負荷を模擬することができ、ブレーキと組み合わせることにより、シフトダウン時の衝撃的な負荷を模擬することができる。なお、電気制動機は、電磁ブレーキ、うず電流ブレーキ、パウダブレーキなどの制動力を電気的に広範囲に設定可能な任意のブレーキの他、発電機と電力負荷との組合せ等を使用することができる。
【００１３】
駆動スプロケット、従動スプロケットの各軸に装着するトルクメータは、各軸のトルクを検出し、計算により、走行中のチェーンに負荷される張力、すなわち走行負荷をリアルタイムに計測することができる。なお、トルクメータは、それぞれ駆動スプロケット、従動スプロケットの軸の正方向、逆方向のトルクを検出することができる。
【００１４】
駆動モータは、ギヤボックスを介して駆動スプロケットを駆動することにより、駆動スプロケットを増速回転させ、チェーンを高速に回転走行させることができる。また、ギヤボックスを介してフライホイル、電気制動機を従動スプロケットに連結することにより、フライホイル、電気制動機を従動スプロケットより高速回転させ、フライホイルを小形化し、電気制動機の所要制動力を小さくすることができる。
【００１５】
なお、ブレーキ、フライホイルの配設位置を入れ替えても、チェーンに対し、前述と同様の衝撃的な負荷をかけることができる。
【００１６】
クラッチを付設するフライホイルは、クラッチを介して従動スプロケットまたは駆動スプロケットから切り離し、チェーンの走行負荷を電気制動機の負荷相当のみにしてチェーンに定常負荷をかけることができる。また、クラッチを介して従動スプロケットまたは駆動スプロケットに連結し、チェーンの走行負荷を安定化することができる。
【００１７】
第２発明の構成によるときは、時間に対するチェーンの走行速度、張力の変化データを記録することができ、実走行に近いチェーンの模擬走行試験データによりチェーンの性能を適確に評価することができる。
【００１８】
【発明の実施の形態】
以下、図面を以って発明の実施の形態を説明する。
【００１９】
オートバイ用チェーンの動力試験装置は、試験用のチェーンＣを巻き掛ける駆動スプロケット１５、従動スプロケット２１と、駆動モータ１１、ブレーキ１３、フライホイル２４、電気制動機２５とを備えてなる（図１）。
【００２０】
駆動モータ１１には、増速用のギヤボックス１２、ブレーキ１３を介して駆動スプロケット１５が連結されている。駆動モータ１１は、ギヤボックス１２の入力側に連結されており、ギヤボックス１２の出力側には、駆動スプロケット１５の軸１５ａが連結されている。軸１５ａは、軸受１５ｂを介して回転自在に支持されており、軸受１５ｂ側にトルクメータ１４が装着され、ギヤボックス１２側にブレーキ１３が装着されている。したがって、駆動モータ１１は、ギヤボックス１２を介して駆動スプロケット１５を回転駆動することができ、ブレーキ１３は、駆動スプロケット１５を制動することができる。
【００２１】
ブレーキ１３は、たとえば軸１５ａに装着するディスクブレーキである。また、トルクメータ１４には、軸１５ａの回転数を検出する回転検出センサ１５ｃが付設されている。なお、駆動モータ１１、ギヤボックス１２、軸受１５ｂは、図示しないベースフレーム上に設置されている。
【００２２】
従動スプロケット２１には、増速用のギヤボックス２３を介して電気制動機２５が連結されている。従動スプロケット２１の軸２１ａは、軸受２１ｂを介して回転自在に支持され、ギヤボックス２３の入力側に連結されている。また、軸２１ａには、トルクメータ２２が装着され、トルクメータ２２には、回転検出センサ２１ｃが付設されている。ギヤボックス２３の出力側には、クラッチ２４ａを介してフライホイル２４が装着され、電気制動機２５が連結されている。したがって、従動スプロケット２１には、ギヤボックス２３を介してフライホイル２４、電気制動機２５がこの順に連結されている。
【００２３】
軸受２１ｂ、ギヤボックス２３、電気制動機２５は、移動ベース２９上に設置されており、移動ベース２９は、図示しないベースフレーム上のガイドレール２９ａ、２９ａに沿って横移動自在となっている。そこで、従動スプロケット２１は、移動ベース２９をガイドレール２９ａ、２９ａに沿って横移動させ、駆動スプロケット１５との軸間距離Ｌを調節設定することができる。なお、移動ベース２９は、図示しないロック機構を介して任意の位置にロックすることができる。
【００２４】
トルクメータ１４、２２、回転検出センサ１５ｃ、２１ｃの各出力は、演算処理装置３１に個別に接続されており（図２）、演算処理装置３１の出力は、記録装置３２に接続されている。
【００２５】
かかるオートバイ用チェーンの動力試験装置は、次のようにして使用する。
【００２６】
駆動スプロケット１５、従動スプロケット２１に試験用のチェーンＣを巻き掛け、クラッチ２４ａを介してフライホイル２４をギヤボックス２３の出力軸から切り離し、電気制動機２５を作動させて駆動モータ１１を起動すると、駆動モータ１１は、ギヤボックス１２を介して駆動スプロケット１５を回転駆動してチェーンＣを回転走行させ（図３の矢印Ｋ1 方向）、従動スプロケット２１、ギヤボックス２３を介して電気制動機２５を駆動することができる。そこで、電気制動機２５は、チェーンＣに任意の走行負荷を与えることができる。
【００２７】
また、このとき、トルクメータ１４、２２は、それぞれ駆動スプロケット１５、従動スプロケット２１の軸１５ａ、２１ａのトルクＴ1 、Ｔ2 を検出して演算処理装置３１に送出する。ただし、トルクＴ1 、Ｔ2 は、軸１５ａ、２１ａのねじれの方向に従って正負の符号を有する。一方、回転検出センサ１５ｃ、２１ｃは、それぞれ軸１５ａ、２１ａの回転数Ｎ1 、Ｎ2 を検出して演算処理装置３１に送出する。なお、演算処理装置３１には、駆動スプロケット１５、従動スプロケット２１の半径ｒ1 、ｒ2 をあらかじめ記憶させておくものとする。
【００２８】
そこで、演算処理装置３１は、トルクメータ１４、２２からのトルクＴ1 、Ｔ2 、回転検出センサ１５ｃ、２１ｃからの回転数Ｎ1 、Ｎ2 、駆動スプロケット１５、従動スプロケット２１の半径ｒ1 、ｒ2 を使用して、チェーンＣの走行負荷、すなわちチェーンＣの回転走行中の張力Ｆ＝ｆ（Ｔ1 、Ｔ2 ）、走行速度ｖ＝２πｒ1 Ｎ1 ＝２πｒ2 Ｎ2 をリアルタイムに算出し、記録装置３２に記録させることができる。ただし、ｆ（Ｔ1 、Ｔ2 ）は、トルクＴ1 、Ｔ2 の関数を表わす。
【００２９】
また、演算処理装置３１は、ｒ1 Ｎ1 ≠ｒ2 Ｎ2 を検出すると、チェーンＣの破断とみなして、駆動モータ１１を停止させるとともにブレーキ１３を作動させ、全体を非常停止させる。
【００３０】
動力試験装置は、駆動モータ１１の回転数、電気制動機２５の制動力を一定に維持して、チェーンＣの長時間の耐久試験を実施することができる（図４（Ａ））。また、駆動モータ１１の回転数を段階的に変更することにより、プログラム試験を実施することができる（同図（Ｂ））。ただし、図４において、横軸は、時刻ｔを示す時間軸である。なお、図４（Ｂ）において、電気制動機２５の制動力は、駆動モータ１１の回転数に拘らず一定に維持してもよく、駆動モータ１１を段階的に変速させるとともに変更してもよい。
【００３１】
動力試験装置は、クラッチ２４ａを介してフライホイル２４をギヤボックス２３の出力軸、すなわち従動スプロケット２１に連結し、駆動モータ１１を急激に加減速することにより、チェーンＣに対し、車両の加減速時を模擬する衝撃的な張力Ｆを負荷することができる（図４（Ｃ））。また、フライホイル２４を回転させながら駆動モータ１１の電源を切断して駆動モータ１１を惰性回転させ、ブレーキ１３を急激に作動させることにより、チェーンＣに対し、たとえば２速から１速にシフトダウンする際などを模擬するさらに衝撃的な張力Ｆを負荷することができる（同図（Ｃ）の右側に表われている張力Ｆの急峻なピークを参照）。
【００３２】
すなわち、動力試験装置は、時間に対するチェーンＣの走行速度ｖ、張力Ｆの変化データを記録し、チェーンＣの評価資料を得ることができる。
【００３３】
なお、ギヤボックス１２、ブレーキ１３間にクラッチを介装し、ブレーキ１３を作動させるとき、ギヤボックス１２、駆動モータ１１を駆動スプロケット１５から機械的に切り離すことが好ましい。また、図１において、ブレーキ１３、フライホイル２４は、それぞれの配設位置を互いに入れ替えてもよい。ただし、このときのフライホイル２４は、クラッチ２４ａを介して駆動スプロケット１５の軸１５ａに連結される。
【００３４】
【発明の効果】
以上説明したように、この出願に係る第１発明によれば、駆動モータ、電気制動機と、駆動スプロケットを制動するブレーキと、従動スプロケットに連結するフライホイルとを設けることによって、駆動モータ、電気制動機は、チェーンに対し、一定の走行負荷をかけることができ、フライホイル、ブレーキは、加減速時やシフトダウン時を模擬する衝撃的な走行負荷をかけることができるから、実走行に近い状態によりチェーンの模擬走行試験を実施することができるという優れた効果がある。
【００３５】
第２発明によれば、チェーンの走行速度、張力の変化データを記録し、模擬走行試験によるチェーンの適確な評価資料を得ることができる。
【図面の簡単な説明】
【図１】  全体構成模式平面図
【図２】  要部ブロック系統図
【図３】  動作説明図
【図４】  動作説明線図
【符号の説明】
Ｃ…チェーン
ｖ…走行速度
Ｆ…張力
１１…駆動モータ
１３…ブレーキ
１５…駆動スプロケット
２１…従動スプロケット
２４…フライホイル
２４ａ…クラッチ
２５…電気制動機
１２、２３…ギヤボックス
１４、２２…トルクメータ
１５ａ、２１ａ…軸
【図１】
0004235963.tif 000002
【図２】
0004235963.tif 000003
【図３】
0004235963.tif 000004
【図４】
0004235963.tif 000005